(57)【特許請求の範囲】
【請求項１】
ノネナール及び／又はジアセチルを含む臭気成分を原因とする臭気を低減する消臭剤であって、
該消臭剤は、アミン構造を有する水溶性ポリマーを含み、
該アミン構造を有する水溶性ポリマーは、分子量が１０，０００以下であり、アミン構造全体のうち、１級アミン構造の割合が２７〜３７モル％であるポリエチレンイミンであることを特徴とするノネナール及び／又はジアセチルを含む臭気成分用消臭剤。
【請求項２】
前記ポリエチレンイミンは、分岐鎖構造を有することを特徴とする請求項１に記載のノネナール及び／又はジアセチルを含む臭気成分用消臭剤。
【請求項３】
前記ポリエチレンイミンは、１級〜３級アミン構造をいずれも有することを特徴とする請求項１又は２に記載のノネナール及び／又はジアセチルを含む臭気成分用消臭剤。
【請求項４】
前記ポリエチレンイミンは、重量平均分子量が２００〜１０,０００であることを特徴とする請求項１〜３のいずれかに記載のノネナール及び／又はジアセチルを含む臭気成分用消臭剤。
【発明の詳細な説明】
【技術分野】
【０００１】
本発明は、消臭剤に関する。より詳しくは、ノネナール及び／又はジアセチルを含む臭気成分の消臭に好適に用いられる消臭剤に関する。
【背景技術】
【０００２】
近年、主に中高年以降の男女にみられる特有の体臭の存在が注目を集めている。この体臭には、主に３０−４０代の男性に多くみられ、ジアセチルを原因とするものと、更に高齢の世代に多くみられ、ノネナールを原因とするものとに大別され、ジアセチルを原因とする臭気は俗にミドル脂臭といわれ、ノネナールを原因とする臭気は俗に加齢臭といわれる。これらを消臭する方法についての研究が行われており、例えば、ノネナールの臭気を軽減又は消臭する消臭剤としてε−ポリリジン又はその塩を有効成分として含有する消臭剤が開示されている（特許文献１参照）。
【先行技術文献】
【特許文献】
【０００３】
【特許文献１】特開２０１４−１５１１３７号公報
【発明の概要】
【発明が解決しようとする課題】
【０００４】
上記のとおり、ノネナールの臭気を軽減又は消臭する消臭剤としてε−ポリリジン又はその塩を用いる技術が開示されているが、この消臭剤は、ノネナールの消臭効果が充分に高いとはいえず、より優れた消臭効果を発揮する消臭剤を開発する余地がある。また、このような体臭の消臭剤は、人間の肌に直接触れる場所に使用されることが想定されるため、消臭能力に加え、高い安全性が求められる。
【０００５】
本発明は、上記現状に鑑みてなされたものであり、ノネナール及び／又はジアセチルを含む臭気成分の優れた消臭能力を発揮し、安全性も高い消臭剤を提供することを目的とする。
【課題を解決するための手段】
【０００６】
本発明者は、安全性が高く、ノネナールやジアセチルを含む臭気成分に対して高い能力を発揮する消臭剤について種々検討したところ、アミン構造を有する水溶性ポリマーがノネナールやジアセチルの消臭能力に優れ、かつ、安全性も高いことを見いだし、このポリマーを消臭剤に用いることで上記課題をみごとに解決することができることに想到し、本発明に到達したものである。
【０００７】
すなわち本発明は、ノネナール及び／又はジアセチルを含む臭気成分を原因とする臭気を低減する消臭剤であって、上記消臭剤は、アミン構造を有する水溶性ポリマーを含むことを特徴とするノネナール及び／又はジアセチルを含む臭気成分用消臭剤である。
以下に本発明を詳述する。
なお、以下において記載する本発明の個々の好ましい形態を２つ以上組み合わせたものもまた、本発明の好ましい形態である。
【０００８】
本発明のノネナール及び／又はジアセチルを含む臭気成分用消臭剤（以下、単に本発明の消臭剤とも記載する）は、アミン構造を有する水溶性ポリマーを含むことを特徴とし、ノネナール及び／又はジアセチルを含む臭気成分の消臭能力に優れるものである。本発明において優れた消臭能力とは、臭気成分の量又は濃度の少なくとも一方を低減させる効果が高いことを意味する。
アミン構造を有する水溶性ポリマーとしては、構造中にアミン構造を有する水溶性ポリマーであれば特に制限されないが、分岐鎖構造を有するポリマーであることが好ましい。より好ましくは、アミン構造部分で分岐した構造を有するポリマーである。このような構造のポリマーであると、消臭能力により優れるものとなる。
なお、本発明において、水溶性ポリマーとは、常温（２０〜２５℃）に於いて、水に容易に溶けるポリマーを意味するが、例えば、２０℃で水１００ｇに対する溶解性が１０ｇ以上であるポリマーを意味する。但し、高分子量（重量平均分子量１０，０００，０００以上）のポリマーの場合、水溶性を有していても水溶液の粘度上昇により溶解性が低下する場合もあり得るので、２０℃で水１００ｇに対する溶解性が０．１ｇ以上であるポリマーも対象とする場合がある。
【０００９】
上記アミン構造を有する水溶性ポリマーは、１級〜３級アミン構造をいずれも有するものであることが好ましい。上記のとおり、本発明におけるアミン構造を有する水溶性ポリマーとしては、分岐鎖構造を有するポリマーであることが好ましく、アミン構造部分で分岐した構造を有するポリマーであることがより好ましい。１級〜３級アミン構造をいずれも有するポリマーは、構造中にアミン構造を多数有し、かつ、アミン構造部分で分岐した構造を有するポリマーの好適な形態の１つである。
【００１０】
上記アミン構造を有する水溶性ポリマーは、アミン価が５〜３０であることが好ましい。アミン価がこのような範囲であると、消臭性能により優れるものとなる。アミン価は、より好ましくは、１０〜３０であり、更に好ましくは、１５〜２５である。
水溶性ポリマーのアミン価は、塩酸、硫酸、パラトルエンスルホン酸溶液等の強酸を用いて電位差滴定を行うことにより測定することができる。
【００１１】
本発明におけるアミン構造を有する水溶性ポリマーとしては、下記式（１）で表されるポリアミンが好ましい。
【００１２】
【化１】
0006635733.tif 000002
【００１３】
（式（１）中、Ｒ１は、同一又は異なって、炭素数１〜６の直鎖又は分岐状アルキレン基を表す。Ａは、同一又は異なって、水素原子、又は、分岐による別のポリアミン鎖を表す。ｍは１以上の整数を表し、ｎは、０以上の整数を表す。）
ポリアミンとしては、ポリアルキレンアミン（ＰＡＡ）、ポリアルキレンイミン（ＰＡＩ）が好適である。これらの中でも、１級〜３級アミン構造をいずれも有するポリアルキレンイミンが好ましい。上記式（１）で表されるポリアミンが１級〜３級アミン構造をいずれも有するポリアルキレンイミンである場合、式（１）におけるｎは２以上の整数であり、Ａの少なくとも１つは水素原子であり、少なくとも１つは分岐による別のポリアミン鎖である。
【００１４】
上記ポリアルキレンアミン（ＰＡＡ）としては、ポリエチレンアミン（ＰＥＡ）、テトラブチレンペンタミンが挙げられる。ＰＥＡは、アンモニア及びエチレンジクロリドを反応させ、その後、分別蒸留することにより得ることができる。このような方法により得られるＰＥＡとしては、トリエチレンテトラミン（ＴＥＴＡ）及びテトラエチレンペンタミン（ＴＥＰＡ）がある。
【００１５】
上記ポリアルキレンイミンとしては、エチレンイミン、プロピレンイミン、１，２−ブチレンイミン、２，３−ブチレンイミン、１，１−ジメチルエチレンイミン等の炭素原子数２〜６のアルキレンイミンの１種又は２種以上を常法により重合して得られる、これらのアルキレンイミンの単独重合体や共重合体が好適である。これらは単独で用いてもよく、２種以上を併用してもよい。より好ましくは、エチレンイミンの単独重合体（ポリエチレンイミン；ＰＥＩ）である。またエチレンジアミン、ジエチレントリアミン、トリエチレンテトラミン、テトラエチレンペンタミン等を重合して得られるものであってもよい。このようなポリアルキレンイミンでは、通常、構造中に３級アミノ基の他、１級アミノ基や２級アミノ基（イミノ基）を有することになる。
【００１６】
上記式（１）中のＡは、同一又は異なって、水素原子、又は、分岐による別のポリアミン鎖であることが好ましいが、分岐による別のポリアミン鎖である場合、当該別のポリアミン鎖の一部が、酸無水物、エポキシ化合物、酸ハライド、マイケル付加反応等により、各種の置換基で修飾されていても良い。上記式（１）中のＡの修飾率は、５０モル％以下が好ましく、より好ましくは２０モル％以下であり、更に好ましくは１０モル％以下であり、特に好ましくは５モル％以下であり、最も好ましくは０％である。
なお、ここで、上記式（１）中のＡの修飾率とは、式（１）中にｎ個存在するＡ全体を１００モル％としたときの、そのうちの修飾されたＡの割合を意味する。
【００１７】
上記アルキレンイミンの単独重合体や共重合体においては、ポリアルキレンイミン鎖が形成されることになり、該ポリアルキレンイミン鎖は、分岐状の構造を必須とすることになる。ＰＥＩとしては、少なくとも中度の分岐を有しているもの、即ち、上記式（１）において、（−ＮＡ−Ｒ１−）単位のうち、Ａが水素原子である単位の数をｎ１、Ａが分岐による別のポリアミン鎖である単位の数をｎ２とすると、ｎ１とｎ２との比率がｎ１／ｎ２＝４／１〜１／４であるものが好ましい。より好ましくは、ｎ１／ｎ２＝３／１〜１／３であり、更に好ましくは、２／１〜１／２であり、最も好ましくは、３／２〜２／３である。
【００１８】
本発明においては、ポリアミン鎖がエチレンイミンを主体として形成されるものであることが好ましい。この場合、「主体」とは、ポリアミン鎖が２種以上のアルキレンイミンにより形成されるときに、全アルキレンイミンのモル数において、大半を占めるものであることを意味する。
上記「大半を占める」ことを全アルキレンイミン１００モル％中のエチレンイミンのモル％で表すと、５０〜１００モル％であることが好ましい。このようなものであると、消臭効果により優れるものとなる。より好ましくは、６０モル％以上であり、更に好ましくは、７０モル％以上である。
【００１９】
上記アミン構造を有する水溶性ポリマーがポリエチレンイミンである場合、ポリエチレンイミンが有するアミン構造全体のうち、１級アミン構造の割合は、１０〜５０モル％であることが好ましい。１級アミン構造の割合がこのような範囲であると、ポリエチレンイミンがよりノネナールやジアセチルの消臭効果により優れたものとなる。１級アミン構造の割合は、より好ましくは、２０〜４５モル％であり、更に好ましくは、２５〜４０モル％であり、最も好ましくは２７〜３７モル％である。
【００２０】
上記ポリアミン鎖における１級、２級及び３級アミン窒素原子に由来する単位の相対割合は、特にＰＥＩの場合で、製法に応じて適宜選択することができる。ＰＥＩは、二酸化炭素、重亜硫酸ナトリウム、硫酸、過酸化水素、塩酸、酢酸等の触媒の存在下でエチレンイミンを重合させることにより製造できる。
【００２１】
上記アミン構造を有する水溶性ポリマーは、重量平均分子量が２００〜１００,０００であることが好ましい。より好ましくは、３００〜８０，０００であり、更に好ましくは、５００〜７０，０００であり、最も好ましくは５５０〜６８，０００である。
アミン構造を有する水溶性ポリマーの重量平均分子量は、ＧＰＣ（ゲル浸透クロマトグラフィー）により、下記の条件で測定することができる。
測定機器：ＨＬＣ−８３２０ＧＰＣ（商品名、東ソー社製）
分子量カラム：Ａｓａｈｉｐａｋ Ｃｏｌｕｍｎ ＧＦ‐３１０，５１０，７１０ ＨＱ（いずれもＳｈｏｄｅｘ社製）を３本直列に接続して使用
ガードカラム：Ａｓａｈｉｐａｋ Ｃｏｌｕｍｎ  ＧＦ‐７Ｍ  ＨＱ
溶離液：０．２Ｍ  ＭＥＡ（モノエタノールアミン）水溶液  ｐＨ＝５．１に調整（酢酸でｐＨ調整）
流速：０．５ｍＬ／ｍｉｎ
カラム温度：４０℃
検量線用標準物質：Ｓｈｏｄｅｘ ｓｔａｎｄａｒｄ Ｐ‐８２（プルラン）（Ｍｗ：５，９００〜７８８，０００）
測定方法：測定対象物を固形分が約０．５質量％となるように溶離液に溶解し、フィルターにてろ過した物を測定サンプルとして分子量を測定する。
【００２２】
本発明の消臭剤は、アミン構造を有する水溶性ポリマーを含む限り、その他の成分を含んでいてもよい。
本発明の消臭剤におけるアミン構造を有する水溶性ポリマーの含有割合は、消臭剤全体１００質量％に対して、９９〜１質量％であることが好ましい。より好ましくは、８０〜５質量％であり、更に好ましくは、７０〜１０質量％である。
【００２３】
本発明の消臭剤が含んでもよいその他の成分としては、エタノール、エチレングリコール等の溶剤；アニオン性、カチオン性、ノニオン性等の各種界面活性剤；アボカド油、アーモンド油等の油脂類；ビタミンＡ群、ビタミンＢ群、ビタミンＣ群等の各種ビタミン類；バリン、フェニルアラニン、アスパラギン等のアミノ酸類；リモネン、メントール等の香料等が挙げられる。
【００２４】
本発明の消臭剤の形態は特に制限されず、液状、ゲル状、ペースト状、粉末状、固体状等のいずれの形態であってもよい。
また本発明の消臭剤は、身体、衣類、家具、寝具等のいずれに対して使用されてもよい。
【発明の効果】
【００２５】
本発明の消臭剤は、上述の構成よりなり、ノネナールやジアセチルの優れた消臭能力を発揮し、また、安全性も高いことから、これらの化合物を原因とする体臭を抑制するための消臭剤として好適に用いることができる。
【発明を実施するための形態】
【００２６】
以下に実施例を掲げて本発明を更に詳細に説明するが、本発明はこれらの実施例のみに限定されるものではない。なお、特に断りのない限り、「％」は「質量％」を意味するものとする。
【実施例】
【００２７】
実施例、参考例で使用したポリエチレンイミンは、以下のとおりである。以下の実施例、参考例において、ＳＰ−００６、ＳＰ−２００はそのまま用い、Ｐ−１０００については、真空乾燥機を用いて、１１０℃、減圧下で４時間乾燥したものを用いた。
（１）ＳＰ−００６（日本触媒社製エポミンＳＰ−００６）：Ｍｗが６００であり、アミン比率は１級アミン：２級アミン：３級アミン＝３５：３５：３０である。
（２）ＳＰ−２００（日本触媒社製エポミンＳＰ−２００）：Ｍｗが１０，０００であり、アミン比率は１級アミン：２級アミン：３級アミン＝３５：３５：３０である。
（３）Ｐ−１０００（日本触媒社製エポミンＰ−１０００）：Ｍｗが７０，０００であり、アミン比率は１級アミン：２級アミン：３級アミン＝２５：５０：２５である。
【００２８】
（実施例１及び比較例１、２）ジアセチル消臭能力試験
ガラス製シャーレを用意し、ＳＰ−００６を０．５０ｇ秤量して入れた。また比較例として、純水０．５０ｇを入れたシャーレ、及び、ブランクとして空のシャーレを用意した。これらのシャーレをそれぞれ、コック付きサンプリングバッグ（ＧＬサイエンス社製、スマートバッグＰＡ、容量３Ｌ）に入れ、ヒートシールして完全に密閉した。各サンプリングバッグ内を真空にした後、窒素ガス２Ｌを量り入れた。各バッグ内のシャーレを開けた後、ジアセチル飽和窒素ガスをシリンジを用いて５ｍＬ量り取り入れた。２時間静置した後、アセトアルデヒド用の北川式検知管（ガステック社製  Ｎｏ．９２）を用い、バッグ内の気体１００ｍＬを３回吸引して、ジアセチル濃度の低減率を比較した。なお、測定値は、検知管の説明書に記載の換算スケールを用いてジアセチル濃度に換算した。
ジアセチルまたはノネナールの低減率は下式のように算出した。
低減率（％）＝（ブランクのガス濃度−試料入りのガス濃度）÷（ブランクのガス濃度）×１００
本結果を表１に示す。
【００２９】
【表１】
0006635733.tif 000003
【００３０】
（実施例２、３、比較例３、４及び参考例１）ノネナール消臭能力試験
３つのガラス製シャーレを用意し、上記３種のポリエチレンイミンをそれぞれ０．５０ｇ秤量した。また比較例として、純水０．５０ｇを入れたシャーレ、及び、ブランクとして空のシャーレを用意した。これらを用いて実施例１と同様にして窒素入りサンプリングバッグを作成し、各バッグ内のシャーレを開けた後、ノネナールの１０％エタノール溶液をマイクロシリンジを用いて１５μＬ量り取り入れた。２時間静置した後、ホルムアルデヒド用の北川式検知管（ガステック社製  Ｎｏ．９１Ｌ）を用い、バッグ内の気体１００ｍＬを１回吸引して、ノネナール濃度を測定した。ノネナールに関しては、検知管による実測値をもとに、低減率を算出した。
本結果を表２に示す。
【００３１】
【表２】
0006635733.tif 000004